(57)【特許請求の範囲】
【請求項１】
複数のカードを積載するためのカード収納部と、コインが投入されるコイン投入部と、該投入されたコインを搬送させるためのコイン搬送機構と、コイン搬送機構に連動されてカード収納部からカードを繰り出すためのカード繰り出し機構と、を備え、１枚のコインを投入することにより１枚のカードを繰り出すカード販売器であって、
前記コイン投入部は、コインを投入するためのコイン投入口と、該コイン投入口から投入されたコインを滑り落とすための滑り台と、該滑り台に形成され、投入されたコインが一定の径より小さい場合に該コインを滑り台上から落下させて選別するための返却用落下穴と、選別により返却されてきたコインを取り出すコイン返却口と、を有し、
前記コイン投入部が更に、前記一定の径より小さいコインがカード販売器を傾けることにより前記返却用落下穴を超えてコイン搬送機構に送られるのを防止する通過阻止手段を備え、
該通過阻止手段は、滑り台の蓋部に設けられた支軸に中間部が枢支されたピン部材とピン部材の上端部に枢支され垂下する錘部材とよりなり、ピン部材の下端部は返却用落下穴に位置し、該ピン部材の下端部で一定重量以下のコインが返却用落下穴を通過してコイン搬送機構に送られるのを防止するものであることを特徴とするカード販売器。
【請求項２】
前記錘部材の下端部はフック状に形成されており、該下端部が滑り台の支軸に載置された状態にあることを特徴とする請求項１記載のカード販売器。
【請求項３】
前記コイン搬送機構は、コインを搬送する力を加えカードを１枚ずつ繰り出すためのレバー部と、該レバー部を操作することによりスライドする第１スライド部材と、該第１スライド部材の下面側に設けられた第２スライド部材と、コイン投入口側の空間とコイン収容部側の空間とを区画する間仕切り板部と、前記レバー部によるカード繰出し操作を１回行った後に該レバー部を元の位置に戻すためのバネ体と、を有し、前記第１スライド部材には、前記滑り台を通過したコインが通過可能な第１コイン挿通穴と、該第１コイン挿通穴の後端に形成されコインの下面の縁部を支持しながら該コインを押し出す第１掛部と、が形成され、前記第２スライド部材には、スライド位置にあるコインが通過可能で且つ前記第１コイン挿通穴と重なる第２コイン挿通穴と、該第２コイン挿通穴の前端に形成されコインの下面の縁部を支持する第２掛部と、が形成され、前記第１掛部と前記第２掛部とに挟持されながら搬送させられたコインは、前記レバー部が元の位置に戻るのに合わせて前記第１スライド部材が元の位置に戻る方向へ移動し第１掛部が第２掛部から離隔した際に、前記スライドさせられたコインは間仕切り板部に形成された第３コイン挿通穴を通ってコイン収容部内に落下することを特徴とする請求項１記載のカード販売器。
【請求項４】
前記カード繰出し機構は、前記コイン搬送機構に備わった第２スライド部材と、カードを前記カード収容部外へ繰り出す繰出しアームと、を有し、第２スライド部材には、繰出しアーム用スリットが形成され、繰出しアームには、該繰出しアーム用スリットに係合するスリット係合突起と、カードを繰り出すためのカード繰出し突起とが形成され、前記レバー部を操作し前記第１スライド部材をスライドさせると、前記第１掛部と前記第２掛部との間に挟持されたコインを介して前記第２スライド部材もスライドし、繰出しアーム用スリットに係合されたスリット係合突起が第２スライド部材により押圧されながら繰出しアーム用スリットに沿って移動し、繰出しアームが回動することを特徴とする請求項１記載のカード販売器。
【請求項５】
更に他との通信機構を備えていることを特徴とする請求項１記載のカード販売器。
【請求項６】
前記通信機構は、呼び出しボタンと来客者が接客店員を呼び出すための電波を発信する電波発信回路を備え、呼出しボタンを押圧することで電波発信回路が作動し、電波が発信されるものであることを特徴する請求項５記載のカード販売器。
【発明の詳細な説明】
【技術分野】
【０００１】
本発明は、レストラン等においてテーブル等に設置しておき、コインを投入するのと引換えに遊戯カードを１枚客に供出することができるカード販売器に関する。
特に、不正操作によりコインを投入し遊戯カードを供出することを防止するカード販売器に関する。
【背景技術】
【０００２】
従来、レストランや喫茶店では、１００円玉を入れてレバーを捻るとお菓子等が出て来るような簡単な小型商品の供出装置がテーブルに載置されている。
レストランや喫茶店においては、接客店員に料理や飲み物を依頼した後、飲食物が運ばれるまでの間はお客の待ち時間となる。
そのため、飲食物の提供まで、来客者がその待ち時間を退屈しないようにと、このような供出装置が利用されているのである。
【０００３】
一方、従来、遊戯カードの一種として、例えば、Ｚ−ＣＡＲＤ（登録商標）と呼ばれるものが知られている。
Ｚ−ＣＡＲＤとは、例えば飛行機、キャラクター人形、怪獣等の各部品をプラスチックカードに印刷し、切込みを入れ、これらの部品を指で押圧してカードから抜き取り、順次組み合わせることにより飛行機等の模型を完成させる遊戯カードである。
これらの遊技カードを組み立てるには、通常は、大人が数分〜１０分程度の時間を要する。
【０００４】
このようなことから、Ｚ−ＣＡＲＤを供出できるようすることで、待ち時間の要求を解消することができると考え、本発明者は、既にＺ−ＣＡＲＤ等の遊戯カードを１枚ずつ、コインを投入することで繰り出すことができるコンパクトなカード販売器を開発している（特許文献１参照）。
ところが、カード販売器に使用可能な一定の大きさのコイン（例えば１００円玉）以外の小さいコインを使って、作為的に遊戯カードを強引に取り出すケースが頻繁に発生した。
すなわち、コインに勢いを付けるためカード販売器を傾斜するように操作し、滑り台に形成された返却用落下穴（大きさを選別するための穴）を通り越すように不正を行うのである。
【先行技術文献】
【特許文献】
【０００５】
【特許文献１】特許第３９２５８７０号
【発明の概要】
【発明が解決しようとする課題】
【０００６】
本発明は、このような背景の問題点を克服するためになされたものである。
すなわち、本発明は、Ｚ−ＣＡＲＤ等の遊戯カードを１枚ずつ、コインを投入することで繰り出すことができるカード販売器において操作により返却用落下穴を通り越すような不正を行えないカード販売器を提供することを目的とする。
特に、カード販売器を傾けるよう操作してもコインに勢いを与えられないようなカード販売器を提供することを目的とする。
【課題を解決するための手段】
【０００７】
以上の背景のもとで鋭意研究した結果、傾斜時、コインを阻止できる部材を通路に位置せしめることにより、上記の問題点を解決することができることを見出し、この知見に基づいて本発明を完成させたものである。
【０００８】
すなわち、本発明は、（１）、複数のカードを積載するためのカード収納部と、コインが投入されるコイン投入部と、該投入されたコインを搬送させるためのコイン搬送機構と、コイン搬送機構に連動されてカード収納部からカードを繰り出すためのカード繰り出し機構と、を備え、１枚のコインを投入することにより１枚のカードを繰り出すカード販売器であって、前記コイン投入部は、コインを投入するためのコイン投入口と、該コイン投入口から投入されたコインを滑り落とすための滑り台と、該滑り台に形成され、投入されたコインが一定の径より小さい場合に該コインを滑り台上から落下させて選別するための返却用落下穴と、選別により返却されてきたコインを取り出すコイン返却口と、を有し、前記コイン投入部が更に、前記一定の径より小さいコインがカード販売器を傾けることにより前記返却用落下穴を超えてコイン搬送機構に送られるのを防止する通過阻止手段を備え、該通過阻止手段は、滑り台の蓋部に設けられた支軸に中間部が枢支されたピン部材とピン部材の上端部に枢支され垂下する錘部材とよりなり、ピン部材の下端部は返却用落下穴に位置し、該ピン部材の下端部で一定重量以下のコインが返却用落下穴を通過してコイン搬送機構に送られるのを防止するものであるカード販売器に存する。
【００１１】
また、本発明は、（２）、前記錘部材の下端部はフック状に形成されており、該下端部が滑り台の支軸に載置された状態にある上記（１）記載のカード販売器に存する。
【００１２】
また、本発明は、（３）、前記コイン搬送機構は、コインを搬送する力を加えカードを１枚ずつ繰り出すためのレバー部と、該レバー部を操作することによりスライドする第１スライド部材と、該第１スライド部材の下面側に設けられた第２スライド部材と、コイン投入口側の空間とコイン収容部側の空間とを区画する間仕切り板部と、前記レバー部によるカード繰出し操作を１回行った後に該レバー部を元の位置に戻すためのバネ体と、を有し、前記第１スライド部材には、前記滑り台を通過したコインが通過可能な第１コイン挿通穴と、該第１コイン挿通穴の後端に形成されコインの下面の縁部を支持しながら該コインを押し出す第１掛部と、が形成され、前記第２スライド部材には、スライド位置にあるコインが通過可能で且つ前記第１コイン挿通穴と重なる第２コイン挿通穴と、該第２コイン挿通穴の前端に形成されコインの下面の縁部を支持する第２掛部と、が形成され、前記第１掛部と前記第２掛部とに挟持されながら搬送させられたコインは、前記レバー部が元の位置に戻るのに合わせて前記第１スライド部材が元の位置に戻る方向へ移動し第１掛部が第２掛部から離隔した際に、前記スライドさせられたコインは間仕切り板部に形成された第３コイン挿通穴を通ってコイン収容部内に落下する上記（１）記載のカード販売器に存する。
【００１３】
また、本発明は、（４）、前記カード繰出し機構は、前記コイン搬送機構に備わった第２スライド部材と、カードを前記カード収容部外へ繰り出す繰出しアームと、を有し、第２スライド部材には、繰出しアーム用スリットが形成され、繰出しアームには、該繰出しアーム用スリットに係合するスリット係合突起と、カードを繰り出すためのカード繰出し突起とが形成され、前記レバー部を操作し前記第１スライド部材をスライドさせると、前記第１掛部と前記第２掛部との間に挟持されたコインを介して前記第２スライド部材もスライドし、繰出しアーム用スリットに係合されたスリット係合突起が第２スライド部材により押圧されながら繰出しアーム用スリットに沿って移動し、繰出しアームが回動する上記（１）記載のカード販売器に存する。
【００１４】
また、本発明は、（５）、更に他との通信機構を備えている上記（１）記載のカード販売器に存する。
【００１５】
また、本発明は、（６）、前記通信機構は、呼び出しボタンと来客者が接客店員を呼び出すための電波を発信する電波発信回路を備え、呼出しボタンを押圧することで電波発信回路が作動し、電波が発信されるものである上記（５）記載のカード販売器に存する。
【００１６】
なお、本発明の目的に添ったものであれば、上記（１）から（６）を適宜組み合わせた構成も採用可能である。
【発明の効果】
【００１７】
本発明のカード販売器によれば、複数のカードを積載するためのカード収納部と、コインが投入されるコイン投入部と、該投入されたコインを搬送させるためのコイン搬送機構と、コイン搬送機構に連動されてカード収納部からカードを繰り出すためのカード繰り出し機構とを備え、１枚のコインを投入することにより１枚のカードを繰り出すので、コイン搬送機構とカード繰出し機構とはコインを介して連結され、１枚のコインと引換えに１枚のカードが確実に繰り出されて極めて安全である。
【００１８】
通過阻止手段を備えたことにより、使用コイン以外のコインをコイン搬送機構に送るような不正を防止できる。
カード販売器を傾けても使用コイン以外のコインは返却用落下穴を通り越すことができ適正な選別が行える。
通過阻止手段は、滑り台の蓋部に設けられた支軸に中間部が枢支されたピン部材とピン部材の上端部に枢支され垂下する錘部材とよりなり、ピン部材の下端部は返却用落下穴に位置し、該ピン部材の下端部で一定重量以下のコインが返却用落下穴を通過してコイン搬送機構に送られるのを防止するものであるので、電気系統を使わず、簡単な機械的構造のみで、不正防止ができる。
また、通信機能を有することで販売機能以外の付加価値が高まる。
【００１９】
また来客者が接客店員を呼び出すための電波を発信する電波発信回路を備えることで、呼出しボタンを押圧して電波発信回路が作動し、電波が発信され、接客店員の呼出し機能とカード販売機能との２つの役割を併用することができ、且つレストランや喫茶店等のテーブル上の限られた空間の有効活用が可能となる。
【図面の簡単な説明】
【００２０】
【図１】図１は、本発明の一実施形態に係るカード販売器を示す説明図である。
【図２】図２は、図１の容器本体奥行き方向に沿ってコイン投入口を通過するように切断した場合の概略縦断面図である。
【図３】図３は、容器本体奥行き方向に沿ってカード繰出し穴を通過するように切断した場合の概略断面図である。
【図４】図４は、図１のカード販売器に搭載された電波発信回路とその受信回路とを示す説明図あり、（Ａ）はカード販売器に搭載された電波発信回路のブロック図を示し、（Ｂ）は表示器に組み込まれた電気回路のブロック図を示す。
【図５】図５は、コイン投入部に設けられコインを滑り落とすための滑り台を示す概略説明図である。
【図６】図６は、通常時（カード販売機を傾けない時）における通過阻止手段Ａを説明する図であり、（Ａ）は、１００円玉が通り越す状態を示し、（Ｂ）は、５０円玉が落下する状態を示す。
【図７】図７は、傾斜時（カード販売機を傾けた時）の通過阻止手段Ａを説明する図であり、（Ａ）は、１００円玉が通り越す状態を示し、（Ｂ）は５０円玉が阻止される状態を示す。
【図８】図８は、コイン搬送機構とカード繰出し機構とを示す説明図である。
【図９】図９は、第１スライド部材を示す説明図であり、（Ａ）は平面図、及び（Ｂ）は側面図である。
【図１０】図１０は、第２スライド部材を示す説明図であり、（Ａ）は平面図、及び（Ｂ）は側面図である。
【図１１】図１１は、間仕切り板部を示す説明図であり、（Ａ）は平面図、及び（Ｂ）は側面図である。
【図１２】図１２は、コインをコイン搬送機構から落下させる場合の作動を示す図であり、（Ａ）はコインがコイン搬送機構に投入された状態、（Ｂ）はコインが第２スライド部材と接触した瞬間の状態、（Ｃ）はコインが第１スライド部材の第１掛部と第２スライド部材の第２掛部とに挟まれながらスライドしている状態を、それぞれ示している。
【図１３】図１３は、コインをコイン搬送機構から落下させる場合の作動を示す図であり、（Ａ）はレバー部を最大まで引いた状態、（Ｂ）はレバー部を少し元の位置の戻しコインが落下して行く状態をそれぞれ示している。
【図１４】図１４は、コイン搬送機構１０によるコインＫの落下順序をそれぞれ説明する一部断面図である。
【図１５】図１５は、レバー部の変形例を示す説明図である。
【発明を実施するための形態】
【００２１】
以下、本発明を実施するための最良の形態を図面に基づいて説明する。
図１は、本発明の一実施形態に係るカード販売器を示している。
図に示すように、このカード販売器１は、不透明樹脂製の略立方体の容器本体２と、この容器本体２の上方に設けられる透明樹脂製の略枡形状のショーケース３と、を有している。
【００２２】
ショーケース３の内側には、Ｚ−ＣＡＲＤから部品を押し抜いて組み立てた飛行機の模型サンプルが収容されている。
この模型サンプルはレストランや喫茶店のテーブルに着席した来客者に興味や好奇心を抱かせるためにあり、客はこの模型サンプルを見て、カード販売器１を操作することとなる。
なお、Ｚ−ＣＡＲＤでなく、他の種類のカード、例えば優待的に飲食の提供を受けることができるポイントカードやテレホンカード等を収納することも可能である。
【００２３】
容器本体２の正面には、コインを投入するためコイン投入口４が形成されている。
コイン投入口４には、スリット状の穴が形成された樹脂板が設けられ、この樹脂板の表面にはコイン投入口４であることを目立たせ来客者に視認され易いように例えば銀色のメッキが施されている。
このコイン投入口４は、１００円玉より径が小さいコイン（例えば１円玉、５円玉、５０円玉）を投入することができるが、それより径が大きいコイン（例えば１０円玉、５００円玉等）の投入は阻止される。
【００２４】
コイン投入口４の下方には、コイン返却口５が形成されており、ここから、例えば、１００円玉より径が小さい１円玉、５円玉、５０円玉等が返却される。
容器本体２の側面には、後述するレバー用延出部１１ｅの摘み部７Ａ（なお、レバー用延出部１１ｅと摘み部７Ａとをレバー部という）が突出しており、容器本体２の外壁に固定した摘み部７Ｂと対をなしている。
固定した摘み部７Ｂ側に親指を掛けながら他方の人指し指でレバー部の摘み部７Ａを引くようにすると、後述するコイン搬送機構及びカード繰出し機構が作動し、カード繰出し穴２ａから樹脂製のＺ−ＣＡＲＤが繰り出される。
【００２５】
容器本体２の正面側の外壁には（カード繰出し穴２ａの下方）延出部２ｂが延出して形成され、この延出部２ｂには来客者が接客店員を呼び出すための呼出しボタン８が設けられている。
この呼出しボタン８は、通信機能を備えており注文等の通信システムの一部として機能する。
呼出しボタン８を指で下方に押し込むと、後で詳しく述べる電波発信回路が作動し、電波が発信され、厨房付近に設置された受信装置に受信され、接客店員に来客者が接客店員を呼び出していることを知らせるのである。
【００２６】
図２は、容器本体奥行き方向に沿ってコイン投入口４を通過するように切断した場合の概略縦断面図である。
図に示すように、容器本体２の内部には滑り台９が設けられており、図１に示したコイン投入口４と滑り台９とによりコイン投入部が構成されている。
コイン投入口４から投入されたコインＫ（１００円玉）は、滑り台９上を滑り落ち、返却用落下穴９ｄ（後程図５を用いて説明する）を素通りしてその最下部（先端部）に形成された通過穴９ａ（コインより大きい）から落下し、コイン搬送機構１０に送られる。
その際、１００円玉のコインＫより、小さい５０円玉等のコインＫを強引にコイン搬送機構１０に送るために、カード販売器を傾けてコインＫに動きに勢いを与えようとしても、通過阻止手段によってそれが阻止される。
この通過阻止手段については、後から詳しく説明する。
【００２７】
さてコイン搬送機構１０は、間接的にコインに押圧力を与えてカードを１枚ずつ繰り出すためのレバー部（図１記載）と、該レバー部を操作することによりスライドする第１スライド部材１１と、該第１スライド部材１１の下面側に設けられた第２スライド部材１２とを有している。
【００２８】
またコイン搬送機構１０は、コイン投入口４側の空間Ｓ１とコイン収容部１３側の空間Ｓ２とを区別して区画する間仕切り板部１４を有している。
第１スライド部材１１には、滑り台９を通過したコインＫが通過可能な第１コイン挿通穴１１ａが形成されている。
同様に第２スライド部材１２には、第１コイン挿通穴１１ａと重なるようにコインＫが通過可能な第２コイン挿通穴１２ａが形成されている。
そしてコイン投入口４より投入されたコインＫは、滑り台９の途中にある通過穴９ａを通り、更に第１及び第２コイン挿通穴１１ａ，１２ａを通過して間仕切り板部１４の上面に載置される。
【００２９】
この状態から、レバー用延出部１１ｅ（図１記載）の摘み部７Ａを引くと、コインＫは第１及び第２スライド部材１１，１２により搬送され（すなわちスライドされ）、間仕切り板部１４に形成された第３コイン挿通穴１４ａから、真下にあるコイン収容部１３内へ落下するのである（なお、この動きについては後程詳しく説明する）。
このようにコインＫを収容するために、コイン収容部１３を設けたので、コイン投入部から投入されたコインＫを全部確実にコイン収容部１３に収納することができ、結果的にコインＫと引換えにカードＺが提供されるようにすることができる。
【００３０】
コイン収容部１３に収容されたコインＫの数は、当然、繰り出されたカードＺの枚数と対応することとなる。
更に、カード収容部１５に積載することができるカードＺの枚数と同じ数のコインＫを収容するために必要最小限の容積のコイン収容部１３とすれば、カード販売器１の大きさを極力小さくすることができ、テーブル上での省スペース化が図られる。
【００３１】
図３は、容器本体奥行き方向に沿ってカード繰出し穴２ａを通過するように切断した場合の概略断面図である。
間仕切り板部１４の上には、立壁で区画されたカード収容部１５が設けられている。
カード収容部１５の上面側は開口しており、そこから多数のカードＺが挿入され積載されている。
【００３２】
この積層されたカードＺのうちの最も下にあるカードＺは、後述する繰出しアーム３０の先端側に形成されたカード繰出し突起Ｐにより、後側から押圧されカード繰出し穴２ａを通って容器本体２の外側に繰り出される。
なお、これらの繰出しアーム３０、カード繰出し突起Ｐ、カード繰出し穴２ａは、前述した第２スライド部材１２と共にカード繰出し機構を構成する。
【００３３】
一方、間仕切り板部１４の下方には乾電池１６が設けられ、この乾電池１６から電気回路基板１７に電流が供給される。
この電気回路基板１７は、前述したように接客店員等を来客者が呼び出すためのものである。
すなわち、この電気回路基板１７上には来客者が接客店員を呼び出すための電波を発信する電波発信回路が形成されている。
延出部２ｂにおいて外部へ露出した呼出しボタン８を押圧することで電波発信回路が作動し、電波が発信され、後述する厨房付近に備わった表示器により点灯表示される。
【００３４】
このように、接客店員の呼出し装置としての役割とカード販売器としての役割とが併用されるので、レストランや喫茶店等のテーブル上の限られた空間の有効な活用が図られる。
【００３５】
ここで、参考までに、電波発信回路の構成について図４（Ａ）を用いて説明する。
この電波発信回路１８は、設置されるテーブルの番号等に対応して番号を記憶するための番号記憶部と、その符号化のための符号化回路と、その全体的制御を行う制御回路と、を有する制御部１９を有している。
また電波発信回路１８は、来客者が操作する呼出しボタン８をその回路の中に組み込んでいる。
なお、呼出しボタン８が操作されたことを近くにいる接客店員が視認できるようにＬＥＤランプを点灯させる構成にしても良い。
【００３６】
更に電波発信回路１８は、呼出しボタン８の操作に基づいて呼出信号を発生させるための送信回路２０と、この送信回路２０で生成された信号を送信するための送信アンテナ２１と、を有している。
この送信アンテナ２１から送信された信号は、厨房付近に取り付けられた表示器により受信され接客店員に知らされる。
【００３７】
ここで参考までに、表示器の電気的構成を図４（Ｂ）を用いて説明する。
図に示すように、表示器２２は、受信アンテナ２３と、この受信アンテナ２３を経て送信信号を受信する受信回路２４とを有している。
また表示器２２は、受信回路２４で受信された送信信号の種類等を識別するために符号化する符号化回路と、符号化されたテーブル対応の番号等をＩＤコードで記憶する記憶回路と、その他全般の制御を行う制御回路と、を備えた制御部２５を有している。
更に表示器２２は、制御部２５からの信号により駆動される駆動回路２６と、この駆動回路２６により駆動制御される表示窓２７（接客店員が見ることが可能）、及びブザー２８と、を有している。
【００３８】
さて、次に、図５を用いて滑り台９について詳しく説明する。
滑り台９の途中には滑り面９ｂを有し、この滑り面９ｂの両端側には縁部９ｃが形成され、コインが一方向へ滑り落ちるようにするガイドとなる。
滑り台９には、投入されたコインが一定の径より小さい場合に、該コインを滑り台９上から落とすための返却用落下穴９ｄが形成されている。
また、滑り台９の滑り面９ｂは後方に（コインが滑る方向に）下がるように傾斜しており、返却用落下穴９ｄは滑り台９の途中に形成されている。
【００３９】
そのため、コインは滑り面９ｂを下方に滑って行くうちに返却用落下穴９ｄより小さい場合は、即座に返却用落下穴９ｄから真下に落下する。
勿論、返却用落下穴９ｄより大きい場合は、返却用落下穴９ｄから落下することなくコイン搬送機構１０の方に送られる。
このように、一定サイズ以下のコイン（５０円玉、５円玉、及び１円玉）を選別して確実に落下させることができる選別機能を有する。
例えば、１００円玉は返却用落下穴９ｄから落下せず、そのまま滑り台９上を滑り落ち、滑り台９の最下部（先端部）に形成された通過穴９ａ（コインより大きい）から落下し、コイン搬送機構に送られる。
【００４０】
一方、図５に示すようにコイン投入部である滑り台９の上には通過阻止手段Ａが矢印の如く設けられる。
以下、本発明のカード販売器の主なる特徴点である通過阻止手段Ａについて述べる。
通過阻止手段Ａは一定重量以下のコインがコイン搬送機構１０に送られるのを防止するものであり不正防止の機能を奏する。
尚、コイン投入部は、前述したように、コインを投入するためのコイン投入口４と、該コイン投入口から投入されたコインを滑り落とすための滑り台９と、該滑り台に形成され、投入されたコインが一定の径より小さい場合に該コインを滑り台上から落下させて選別するための返却用落下穴９ｄと、選別により返却されてきたコインを取り出すコイン返却口５とを備える。
【００４１】
通過阻止手段Ａは、滑り台９の蓋部９１に設けられた支軸９２に中間部が枢支されたピン部材９３を備える。
更にピン部材９３の上端部９３ｂに枢支され垂下する錘部材９４を備える。
錘部材９４の下端部９４ａはフック状に形成されており、支軸９２の上に載置されている。
ピン部材９３が支軸９２を起点として上端部９３ｂが揺動すると、錘部材９４の下端部９４ａが支軸に載置されていることから、錘部材９４は支軸９２を起点としてその上端部が揺動することとなる。換言すると、錘部材９４が支軸９２を起点としてその上端部が揺動すると、ピン部材９３が同様に支軸９２を起点としてその上端部が揺動するのである。
【００４２】
また通常時（カード販売器を傾けない時）、ピン部材９３の下端部９３ａは返却用落下穴９ｄに位置するようになっている。
詳しくは、ピン部材９３の下端部９３ａは、通常時、返却用落下穴９ｄの前縁に接した状態にある。
この状態では、ピン部材９３や錘部材９４の上端部は図でいう反時計回りには、当然、回動しない。
【００４３】
図６は、通常時（カード販売機を傾けない時）における通過阻止手段Ａを説明する図であり、（Ａ）は、１００円玉が通り越す状態を示し、（Ｂ）は、５０円玉が落下する状態を示す。
図６の状態では、ピン部材９３の下端部９３ａは、下がっていないので、返却用落下穴９ｄ（１００円玉より径が僅かに小さい）を１００円玉は通り越すことができる。
しかし、１００円玉より径が小さい５０円玉は、返却用落下穴９ｄから下方に落下することとなる。
【００４４】
図７は、傾斜時（カード販売機を傾けた時）の通過阻止手段Ａを説明する図であり、（Ａ）は、１００円玉が通り越す状態を示し、（Ｂ）は、５０円玉が阻止される状態を示す。
本発明の通過阻止手段Ａは、このような傾斜時に有効に作用するものである。
このピン部材９３の下端部９３ａにより一定重量以下のコインが返却用落下穴９ｄを通過してコイン搬送機構１０に送られるのを防止することができる。
【００４５】
今、図７のように、カード販売器を作為的に傾けて、例えば、５０円玉（百円玉より小さくて軽い）を勢いよく滑らせ、返却用落下穴９ｄを通り越してコイン搬送機構１０に送ろうとする。
しかし、このようにカード販売器を傾けると、錘部材９４が支軸９２を起点として上端部が揺動し（図でいう時計回り方向）、ピン部材９３も上端部が揺動する。
すると返却用落下穴９ｄに位置するピン部材９３の下端部９３ａは、回動して返却用落下穴９ｄの下に顔を出し、５０円玉の動きを阻止する。
そのため５０円玉は、返却用落下穴９ｄを超えてコイン搬送機構１０に移動できないこととなり、結果的に返却用落下穴９ｄから下方に落下するのである。
因みに、１００円玉は、回動して下がっているピン部材９３の下端部９３ａを押し上げて通過する。
何故ならば、５０円玉は阻止できるが１００円玉は阻止できないように、錘部材９４の重量バランスである回転モーメントを調整し阻止力を設定してあるからである。
【００４６】
このように、通過阻止手段によって、本来、通過させたい１００円玉以外の玉、すなわちそれより径の小さい１円玉、５円玉、或いは５０円玉を、意図的に返却用落下穴９ｄを超えてコイン搬送機構１０に移動させようとしてもできない。
尚、錘部材９４の重量バランスを調整することは、板状の錘部材９４の形を変えることにより容易に行える。
尚、錘部材９４の下端部がフック状になって支軸に載置されているだけなので、錘部材９４の交換が簡単である。
【００４７】
次に、本発明のコイン搬送機構と、このコイン搬送機構とコインを介して連動するカード繰出し機構との関係について、図８乃至逗字１１を用いて詳細に説明する。
図８は、各種部品を組み合わせた状態の図であり、コイン投入部から投入されたコインを前方に直進移動させるコイン搬送機構１０（図２記載）と、カード繰出し機構３１との関係を示す図である。
コイン搬送機構１０は前述したように第１スライド部材１１と、第２スライド部材１２と、間仕切り板部１４とを有している。
【００４８】
またコイン搬送機構１０は、第１スライド部材１１のレバー部によるカード繰出し操作を１回行った後に、レバー部を元の位置に復帰させるためのバネ体３２を備えている。
第１スライド部材１１は、図９に示すような形状をしている。
前述したように、第１スライド部材１１には滑り台９を通過したコインＫが通過できる大きさの第１コイン挿通穴１１ａが形成されており、第１コイン挿通穴１１ａは１００円玉の径よりも僅かに大きい径とされている。
【００４９】
また第１スライド部材１１の第１コイン挿通穴１１ａの後端（コインＫの搬送方向側と反対側）には、コインＫの下面の縁部を支持して該コインＫを搬送方向に押し出すための第１掛部１１ｂが形成されている。
更に第１スライド部材１１には２箇所に細長形状の案内穴１１ｃ，１１ｄが形成されている。
また案内穴１１ｃ，１１ｄは、それぞれに間仕切り板部１４に固定された螺子３３が挿通されることによって、第１スライド部材１１が一方向へスライドするための案内の役割を果たしている。
【００５０】
また第１スライド部材１１には、バネ体３２を係止させるためのＬ字状の小突起１１ｆが形成されている。
更に第１スライド部材１１には、レバー用延出部１１ｅが形成されており、これに摘み部７Ａのレバーキャップ（図８記載）を被せることにより、レバー部が構成されることは既に述べた。
【００５１】
なお、レバーキャップを被せずに、レバー用延出部１１ｅのみでレバー部としても良い。
このように、第１スライド部材１１と一体形成したレバー用延出部１１ｅを引くと、それと同時に第１スライド部材１１がスライドすることになる。
なお、このような第１スライド部材１１は、例えば１枚の金属板をプレス加工により打ち抜くことで簡単に成形され、力を加えるレバー用延出部１１ｅも強度が高くなる。
【００５２】
一方、第２スライド部材１２は図１０に示すような形状をしている。
前述したように、第１スライド部材１１の第１コイン挿通穴１１ａと重なるように第２コイン挿通穴１２ａが形成されている。
前記第１スライド部材１１の第１掛部１１ｂと対向する側（第２コイン挿通穴１２ａの前端）には、コインＫの下面の縁部を支持する第２掛部１２ｂが形成されている。
また第２スライド部材１２には、２箇所に細長形状の案内穴１２ｃ，１２ｄが形成されている。
【００５３】
この案内穴１２ｃ，１２ｄは、前述の案内穴１１ｃ，１１ｄと同じように、それぞれに間仕切り板部１４に固定された螺子３３が挿通されることにより、第２スライド部材１２が一方向へスライドするための案内の役割を果たしている。
更に第２スライド部材１２には、繰出しアーム３０を回動させるための繰出しアーム用スリット１２ｅが形成されている。
【００５４】
さて間仕切り板部１４は、図１１（Ａ）の平面図及び図１１（Ｂ）の側面図に示すように、略正方形板状の部材であり、一側から他側へ（図中右から左へ）向かう途中で段差部１４ｂが形成されている。
この段差部１４ｂには長方形状の貫通穴１４ｃが形成されており、図８に記載の繰出しアーム３０の長腕部３０ａが挿通される。
間仕切り板部１４の一側（高さの低い側）には、螺子３３を取り付けるための螺子穴１４ｄが２箇所に形成されている。
また間仕切り板部１４の一側には、図８に記載の繰出しアーム３０の回動中心軸３５が挿通される嵌合穴１４ｅが形成されている。
【００５５】
更に間仕切り板部１４の一側に形成された第３コイン挿通穴１４ａには、長方形状のスリット１４ｆが形成されている。
一方、間仕切り板部１４の他側（高さの高い側）には、繰出しアーム３０の長腕部３０ａの先端側に形成されたカード繰出し突起Ｐが回動できるように略円弧状の切欠部１４ｇが形成されている。
この長腕部３０ａに形成されたカード繰出し突起Ｐは、間仕切り板部１４の裏面側から表面側へ突出しており、カードＺを繰り出す役割を果たしている。
【００５６】
次に、図１２及び図１４を用いてコインＫをコイン搬送機構１０（図２参照）から落下させる場合の流れについて説明する。
なお、図１４は、コイン搬送機構１０によるコインＫの落下順序をそれぞれ説明する一部断面図である。
【００５７】
図１２（Ａ）は、滑り台９の通過穴９ａを通過し間仕切り板部１４上にコインＫが載置された状態（図２参照）を示している〔図１４（Ａ）参照〕。
この状態からバネ体３２のバネ力に抗してレバー部を操作し、すなわち第１スライド部材１１のレバー用延出部１１ｅを図中矢印方向に引くと、コインＫは第１掛部１１ｂにより押圧されながら前方に搬送される。
【００５８】
図１２（Ｂ）は、コインＫの搬送方向側の端部が第２スライド部材１２の第２掛部１２ｂに当接した状態を示している〔図１４（Ｂ）参照〕。
この状態までは、第１スライド部材１１のみ移動し、第２スライド部材１２は移動していない。
そして、この状態から更にレバー部を操作し、すなわちレバー用延出部１１ｅを引き、第１スライド部材１１を前方へスライドさせると、第１掛部１１ｂと第２掛部１２ｂとの間に挟持されたコインＫを介して、第２掛部１２ｂが押され、同時に第２スライド部材１２もスライドする。
【００５９】
繰出しアーム用スリット１２ｅに係合された繰出しアーム３０の短腕部３０ｂのスリット係合突起Ｔが第２スライド部材１２により押圧されながら繰出しアーム用スリット１２ｅに沿って移動し、繰出しアーム３０が図中、反時計回り方向に回動する（図１２（Ｃ）参照）。
【００６０】
すなわち、スリット係合突起Ｔと繰出しアーム用スリット１２ｅとにより、コイン搬送機構１０（図８参照）とカード繰出し機構３１（図８参照）とが機械的に係合された状態で相互に連動する。
この状態から更にレバー用延出部１１ｅを引き、第１スライド部材１１をスライドさせると、第１及び第２スライド部材１１，１２とコインＫとはなおも一体的にスライドし、図１３（Ａ）に示すように、コインＫは第３コイン挿通穴１４ａの中央辺りに位置するようになる〔図１４（Ｃ）参照〕。
この位置までレバー用延出部１１ｅを引くと、その摘み部７Ａが容器本体２（図１記載）の外壁に固定した摘み部７Ｂに当接して止まり、同時にコインＫの搬送方向への移動が停止される。
【００６１】
なお、このとき、繰出しアーム３０の短腕部３０ｂに形成されたスリット係合突起Ｔは繰出しアーム用スリット１２ｅの端部近くまで移動している。
そして、この状態から指を離してレバー用延出部１１ｅの押圧を解除すると、レバー部がバネ体３２の復帰力により元の位置に戻るのに併せて第１スライド部材１１が元の位置に戻る方向へ移動する。
その際、第１掛部１１ｂと第２掛部１２ｂとの間が広くなり、前記コインＫは最早、保持されなくなり、間仕切り板部１４に形成された第３コイン挿通穴１４ａを通ってコイン収容部１３に落下する（図１３（Ｂ）参照）。
具体的には、先ず第１掛部１１ｂとコインＫとが非接触状態になって、支えを失ったコインＫの第１掛部１１ｂ側は重力により下方へ傾く〔図１４（Ｄ）参照〕。
【００６２】
そして、コインＫは第２掛部１２ｂからも離隔し、反転しながらコイン収容部１３（図２記載）内へ落下する。
その後、第１スライド部材１１は更にバネ体３２の復帰力により反スライド方向側へ移動する。
すると、第１掛部１１ｂが第２スライド部材１２の第２コイン挿通穴１２ａの内縁に引掛かり、両者は一体となって元の位置に戻る。
また、第２スライド部材１２が元の位置に戻ろうとすると、スリット係合突起Ｔは繰出しアーム用スリット１２ｅに沿って移動し、繰出しアーム３０は時計回り方向へ回動させられ、元の位置に戻る。
【００６３】
上述した一実施形態のカード販売器１では、コイン搬送機構１０とカード繰出し機構３１とはコインＫを介して連結される、すなわち、レバー部を指で引くとコイン搬送機構１０が可動され、且つカード繰出し機構３１が作動するので、コインＫを１枚投入すればカードＺを１枚繰り出すことが可能となる。
反対にいえば、コインＫが連結部材の役割を果たすから、コインＫを投入せずにはカードＺが繰り出されない。
【００６４】
また、上述した一実施形態のカード販売器１では、繰出しアーム３０は、長腕部３０ａと短腕部３０ｂとを有し、長腕部３０ａにカード繰出し突起Ｐが形成され、短腕部３０ｂにスリット係合突起Ｔが形成されたので、長腕部３０ａと短腕部３０ｂとの延出方向を自由に調整することで、他の部品と干渉しないように設計するのが容易となる。
特に、長腕部３０ａにカード繰出し突起Ｐを形成することで、第１及び第２スライド部材１１，１２から離れた位置にあるカードＺに繰出しアーム３０を届かせることができ、設計上カードＺが第１及び第２スライド部材１１，１２に干渉してしまう等の不具合の発生を防止することができる。
【００６５】
以上、本発明を説明してきたが、本発明は上述した一実施形態にのみ限定されるものではなく、その本質を逸脱しない範囲で、他の種々の変形が可能であることはいうまでもない。
【００６６】
例えば、カード販売器に来客者が接客店員を呼び出すための電波を発信する電波発信回路を備えた場合を説明したが、この電波発信回路としては種々の機能を有するものを採用することも当然可能である。
また上述した一実施形態では、繰出しアーム３０の短腕部３０ｂにスリット係合突起Ｔが形成され、第２スライド部材１２に直線状の繰出しアーム用スリット１２ｅを形成した例について説明したが、突起とスリットとは相互に逆側に形成しても良い。
具体的には、第２スライド部材１２に繰出しアーム用突起を設け、繰出しアームに繰出しアーム用突起に係合する突起係合スリットを設けるようにしても良い。
このようにしても、突起係合スリットと繰出しアーム用突起とによりコイン搬送機構１０とカード繰出し機構３１とを機械的に係合させ、連動させることができる。
【００６７】
また、上述した一実施形態では、レバー部は摘み部７Ａを固定された摘み部７Ｂに近接させることにより、第１スライド部材１１をスライドさせた例について説明したが、本発明のレバー部の構成はこれに限らない。
例えば、レバー部を回転すると、ギヤを介して第１スライド部材がスライドし、一定回転角度レバー部を回転すると、ギヤによる第１スライド部材との結合が解除され、バネ体３２により第１スライド部材が元の位置に戻るような構成にしても良い。
【００６８】
例えば図１５に示す。
図に示すようにレバー部３６は、直方体状の摘み部３７と、この摘み部３７と連結した回転軸３８と、この回転軸３８の先端に連結されたカム部３９と、を有している。
カム部３９の円弧面には一定間隔毎に歯３９ａが形成されている。
この歯３９ａが形成された面は、摘み部３７を捻ると回転軸３８を中心に回転し、第１スライド部材４０に形成された帯状の鋸歯部４０ａと噛み合う。
そして、このようにギヤが噛み合うと、第１スライド部材４０はカム部３９の歯３９ａにより押し出され、スライドする。
【００６９】
このような構成にすると、レバー部３６を回転させることで、ギヤを介して第１スライド部材４０がスライドし、一定回転角度レバー部３６を回転させると、ギヤによる第１スライド部材４０との結合が解除され、バネ体３２により第１スライド部材４０が元の位置に戻るようにできるので、レバー部３６を１回転させると１枚のカードが繰り出される。
特に、レバー部３６を回転中に、ギヤが噛み合っている状態から噛み合っていない状態に変化させるためにカム形状のカム部３９を設けたので、ギヤの係合が解かれた時に手にその衝撃が加わり、操作が終了したことを来客者に認識させることができる。
【００７０】
また、レバー部３６が１回転するまでにコインが落下し且つレバー部３６とカード繰出し機構３１との係合が解かれるようにすれば、レバー部３６を複数回転させてもそれ以上カードが繰り出されないので、１コインに付きレバー部３６を１回転させ１枚のカードを取り出すことが可能であり、カード販売器の操作の仕方を明確且つ容易にすることができる。
【産業上の利用可能性】
【００７１】
本発明に係るカード販売器の通過阻止手段は、コインを投入して商品を供出する装置における不正防止手段として広く利用できるものである。
【符号の説明】
【００７２】
１…カード販売器
２…容器本体
２ａ…カード繰出し穴
２ｂ…延出部
３…ショーケース
４…コイン投入口
５…コイン返却口
７Ａ，７Ｂ…摘み部
８…呼出しボタン
９…滑り台
９ａ…通過穴
９ｂ…滑り面
９ｃ…縁部
９ｄ…返却用落下穴
１０…コイン搬送機構
１１…第１スライド部材
１１ａ…第１コイン挿通穴
１１ｂ…第１掛部
１１ｃ，１１ｄ…案内穴
１１ｅ…レバー用延出部
１２…第２スライド部材
１２ａ…第２コイン挿通穴
１２ｂ…第２掛部
１２ｃ，１２ｄ…案内穴
１２ｅ…繰出しアーム用スリット
１３…コイン収容部
１４…間仕切り板部
１４ａ…第３コイン挿通穴
１４ｂ…段差部
１４ｃ……貫通穴
１４ｄ…螺子穴
１４ｅ…嵌合穴
１４ｆ…スリット
１４ｇ…切欠部
１５…カード収容部
１６…乾電池
１７…電気回路基板
１８…電波発信回路
１９…制御部
２０…送信回路
２１…送信アンテナ
２２…表示器
２３…受信アンテナ
２４…受信回路
２５…制御部
２６…駆動回路
２７…表示窓
２８…ブザー
３０…繰出しアーム
３０ａ…長腕部
３０ｂ…短腕部
３１…カード繰出し機構
３２…バネ体
３３…螺子
３５…回動中心軸
３６…レバー部
３７…摘み部
３８…回転軸
３９…カム部
３９ａ…歯
４０…第１スライド部材
４０ａ鋸歯部
９１…蓋部
９２…支軸
９３…ピン部材
９３ａ…下端部
９３ｂ…上端部
９４…錘部材
９４ａ下端部
Ｋ…コイン
Ｐ…カード繰出し突起
Ｓ１，Ｓ２…空間
Ｔ…スリット係合突起
Ｚ…カード
【図１】
0005893877.tif 000002
【図２】
0005893877.tif 000003
【図３】
0005893877.tif 000004
【図４】
0005893877.tif 000005
【図５】
0005893877.tif 000006
【図６】
0005893877.tif 000007
【図７】
0005893877.tif 000008
【図８】
0005893877.tif 000009
【図９】
0005893877.tif 000010
【図１０】
0005893877.tif 000011
【図１１】
0005893877.tif 000012
【図１２】
0005893877.tif 000013
【図１３】
0005893877.tif 000014
【図１４】
0005893877.tif 000015
【図１５】
0005893877.tif 000016